(57)【要約】【課題】プラグとソケットを迅速に着脱できる接続継手において、流量調整機能を有し、簡単で調整後の変動のない接続継手を提供する。【解決手段】着脱可能なプラグ（５）とソケット（３）を有し、ソケット（３）内には、プラグの着脱に応じて流路（２２）を開閉するスピンドル（２３）がある。ソケット（３）は、中間本体（１０）とこの中間本体（１０）にねじ係合で連結した流入側本体（１１）を有し、中間本体（１０）と流入側本体（１１）の間にはボール（４５）が挿入されている。中間本体（１０）と流入側本体（１１）を相対的に回転すると、中間本体（１０）と流入側本体（１１）間の間隔が変化し、ボール（４５）の移動範囲が変り、流量が変化する。この状態は、流入側本体（１１）をロックナット（３７）で締着することにより固定される。【選択図】図２
2008157360.tif 000002
【特許請求の範囲】
【請求項１】
着脱可能に接続されるソケットとプラグを有し、該ソケット内にプラグを着脱することにより流路を開閉するようスピンドルを設けた接続継手であって、上記ソケットは上記流路に連通する中間流路を有する中間本体と、該中間本体にねじ係合で連結され流入側流路を有する流入側本体を具備し、該流入側本体内に上記中間本体の中間流路開口端に対向する流入側流路開口端を有する内筒を形成し、該内筒と中間本体間に上記各開口端より大径のボールを移動可能に挿入し、上記流入側本体と中間本体を相対的に回転して軸方向に移動させることにより上記ボールが移動する上記中間流路開口端と流入側流路開口端間の間隔を変えて流量を調整するようにしたことを特徴とする接続継手。
【請求項２】
上記中間本体は、外周に調整リングを有し、上記流入側本体は該調整リングの外周にねじ係合し、上記内筒は上記調整リングの内壁に気密状態で摺接している請求項１に記載の接続継手。
【請求項３】
上記ねじ係合部分には中間本体若しくは流入側本体の調整位置を仮固定するようロックナットが設けられている請求項１または２に記載の接続継手。
【請求項４】
上記請求項１ないし３のいずれかに記載の接続継手のソケットを酸素供給源側に接続し、マウスに通じるホースを上記プラグに接続した酸素補給装置。
【発明の詳細な説明】
【技術分野】
【０００１】
本発明は、酸素、空気等の気体や液体の配管の接続に使用する迅速管継手に関するものである。
【背景技術】
【０００２】
ソケットにプラグを挿入してロックすると同時に流路を開いて流体が流れるようにした迅速管継手式の接続継手が広く用いられており、流量を調整できるようにしたものも知られている（例えば、特許文献１参照）。しかし、従来知られて流量調整機能付のこれらの接続継手は、構造が複雑で製造が面倒であり、経済的に得られなかったり故障も生じやすく、また調整作業が面倒だったり、流量調整を行ったあとで振動、衝撃等により流量が変動してしまうようなことがあった。特に、スポーツセンターやトレーニングジム、フィットネスクラブ等で疲労した利用者にマウスを通して微量の酸素を補給できるようにする場合、酸素の配管系と利用者の口に当てがうマウスのホースを接続継手を介して接続できるようにすればよいが、ホースや継手等に伝わる振動、衝撃で調整個所に狂いが生じやすく、また流量が変動すると酸素の流量は微量であるから、１度流量を調整した後に、吸気の流量が変化すると利用者に不慮の酸素を供給したり、不足を生じたりするようになるので、好ましくない。
【特許文献１】特開昭４７−４０４２２号公報（第２図）
【発明の開示】
【発明が解決しようとする課題】
【０００３】
本発明の解決課題は、ソケットとプラグを迅速に着脱しロックできる形式の接続継手において、流量の調整が容易でかつ調整状態が変動しないようにし、構成が簡単で経済的に得られ、故障も少ない接続継手を提供することである。また、酸素を微量供給でき、流量変動が少なく、フィットネスクラブ等で好適に使用できる酸素補給装置を提供することである。
【課題を解決するための手段】
【０００４】
本発明によれば、着脱可能に接続されるソケットとプラグを有し、該ソケット内にプラグを着脱することにより流路を開閉するようスピンドルを設けた接続継手であって、上記ソケットは上記流路に連通する中間流路を有する中間本体と、該中間本体にねじ係合で連結され流入側流路を有する流入側本体を具備し、該流入側本体内に上記中間本体の中間流路開口端に対向する流入側流路開口端を有する内筒を形成し、該内筒と中間本体間に上記各開口端より大径のボールを移動可能に挿入し、上記流入側本体と中間本体を相対的に回転して軸方向に移動させることにより上記ボールが移動する上記中間流路開口端と流入側流路開口端間の間隔を変えて流量を調整するようにしたことを特徴とする接続継手が提供され、上記課題が解決される。
【０００５】
また、本発明によれば、上記接続継手のねじ係合部にロックナットを設けて調整位置を仮固定できるようにした上記接続継手が提供され、さらに本発明の上記接続継手を用いた酸素補給装置が提供される。
【発明の効果】
【０００６】
本発明は上記のように構成され、中間本体と流入側本体をねじ係合により連結したので、該中間本体と流入側本体を相対的に回転すると中間本体と流入側本体は軸方向に移動し、該中間本体内の中間流路開口端と流入側本体内の流入側流路開口端間の間隔が変わり、該開口端間に挿入したボールの移動範囲が変化して流量を容易に調整することができる。また、ロックナットにより上記流入側本体と中間本体の調整位置をロックすると、該調整位置が振動や衝撃等で簡単に変動しないようにできる。したがって、天井等に設けた配管からホースを通して使用者のマウスに酸素を供給するような酸素補給装置に、本発明の接続継手を用いると、酸素の供給量が変動せず、常に所定の微量の酸素を補給することができる。
【発明を実施するための最良の形態】
【０００７】
図面は本発明の一実施例を示し、図に示すように本発明の接続継手（１）は、着脱可能に接続される流入口（２）を有するソケット（３）と流出口（４）を有するプラグ（５）を具備している。該プラグ（５）は、フランジ（６）の一端側にホース接続部（７）を有し、他端側に係止溝（８）を有している。
【０００８】
ソケット（３）は、三方孔本体（９）と該三方孔本体（９）にねじ着した中間本体（１０）と、該中間本体（１０）にねじ係合により移動可能に連結した流入側本体（１１）を主として具備する。上記三方孔本体（９）には、該三方孔本体に形成した孔（１２）から内方に一部が突出するように係止用ボール（１３）が嵌着され、外周には該係止用ボール（１３）の後退を許容する大径孔部（１４）と該係止用ボール（１３）の後退を阻止する小径孔部（１５）を有する着脱用ガイドリング（１６）が長手方向に移動可能に嵌着されている。
【０００９】
該着脱用ガイドリング（１６）は、外方端に本体カバー（１７）が固着され、着脱ばね（１８）で上記流入口（２）側に付勢されている。なお、該着脱ばね（１８）の一端は、上記三方孔本体（９）の先端に嵌着した先端リング（１９）に当接しており、該先端リング（１９）はストップリング（２０）に当接する位置まで反流入口側（流出口側）に移動可能に先端ばね（２１）で付勢されている。
【００１０】
上記の構成により、図１に示す状態でプラグ（５）をソケット（３）に挿入すると、プラグ（５）の係止溝（８）に対応した位置で上記係止用ボール（１３）が半径方向に移動して該係止溝（８）に係合すると共にプラグ（５）のフランジ（６）及び先端リング（１９）を介して上記着脱用ガイドリング（１６）が流入口（２）方向に押圧されて移動するから、上記小径孔部（１５）が係止用ボール（１３）の外方に対応し、該係止用ボール（１３）の移動を阻止して図２の示すようにプラグ（５）をロックする。
【００１１】
図２に示す状態から、着脱用ガイドリング（１６）を反流入口方向へ移動させれば、該着脱用ガイドリング（１６）の大径孔部（１４）が係止用ボール（１３）の外方に対応するから、係止用ボール（１３）が係止溝（８）から抜け出すと共に先端リング（１９）に押されてプラグ（５）はソケット（３）から外れる。
【００１２】
上記ソケット（３）内には、プラグ（５）を着脱することにより流路（２２）を開閉するようスピンドル（２３）が設けられている。該スピンドル（２３）の外周には、中間パッキン（２４）が気密的に摺接しており、流入口（２）側にはシートパッキン（２５）が設けられ、スピンドルばね（２６）で該シートパッキン（２５）が中間座金（２７）に当接する方向に付勢されている。プラグ（５）をソケット（３）に装着していない状態では、図１に示すように上記シートパッキン（２５）が中間座金（２７）に当って流路（２２）を閉鎖している。図２に示すように、プラグ（５）をソケット（３）に装着すると、プラグ（５）の挿入先端によりスピンドル（２３）はスピンドルばね（２６）に抗して流入口（２）側へ移動され、上記シートパッキン（２５）は中間座金（２７）から離れ、流入口（２）から入った流体はスピンドル（２３）に形成した通孔（２８）を通って流路（２２）へ流れる。プラグ（５）をソケット（３）から外せば、上記スピンドル（２３）はスピンドルばね（２６）により図１に示す状態に戻り流路（２２）を閉鎖する。
【００１３】
上記中間本体（１０）は、上記流路（２２）に連通する中間流路（２９）を有し、流入口（２）側には中間流路開口端（３０）を形成するよう隔壁（３１）が形成されている。該中間本体（１０）の外周には、六角ナット状の外形を有する中間頭部（３２）が形成され、該中間頭部（３２）の流入口（２）側には調整リング（３３）がねじ着され、Ｏリング（３４）でシールされている。なお、該調整リング（３３）と中間本体（１０）を一体的に形成することができる。
【００１４】
上記調整リング（３３）には、段部（３５）を介して小径部（３６）が形成され、該小径部の外面にはねじ部が設けられ、該ねじ部にロックナット（３７）と上記流入側本体（１１）がねじ係合により調整可能に連結されている。該流入側本体（１１）は六角ナット状の本体頭部（３８）と配管等への接続部（３９）を有し、上記流入口（２）が形成されている。図に示す接続部（３９）は、雌ねじ部を有する略管状に形成されているが、上記プラグ（５）のホース接続部（７）と同様のホース接続部を形成してもよい（図示略）。
【００１５】
上記流入側本体（１１）の内方には、内筒（４０）がねじ着され、Ｏリング（４１）でシールされている。該内筒（４０）は、上記調整リング（３３）の内方に挿入され、Ｏリング（４２）でシールされている。また内筒（４０）の内方には流入側流路（４３）が形成され、該流入側流路開口端（４４）は略円錐状に拡開しており、上記中間本体（１０）の中間流路開口端（３０）に対向している。
【００１６】
上記内筒（４０）と中間本体（１０）間には、上記中間流路開口端（３０）及び流入側流路開口端（４４）の内径よりも大径のボール（４５）が挿入され、該ボール（４５）は該中間流路開口端（３０）または流入側流路開口端（４４）に当るまで図において左右方向に移動可能である。
【００１７】
上記の構成により、上記調整リング（３３）を有する中間本体（１０）と、流入側本体（１１）を相対的に回転すると、該中間本体（１０）と流入側本体（１１）は軸方向に移動し、それに伴って上記中間流路開口端（３０）と流入側流路開口端（４４）間の間隔が変化する。したがって、この間隔の変化に応じて流量も変わるので、所望の流量に調整することができる。また、上記ロックナット（３７）を流入側本体（１１）の端面に当てて締め付ければ、調整位置が固定され、上記のようにして設定した調整位置が変動することはない。
【００１８】
フィットネスクラブ等で使用するには、図３に示すように上記接続継手（１）のソケット（３）側を酸素供給源に通じる配管系（４６）に連結し、プラグ（５）側をマウス（４７）に通じるホース（４８）に連結すればよい。このようにすれば、酸素を補給したい使用者がマウス（４７）に通じるプラグ（５）を所定のソケット（３）に接続するだけで簡単に吸気することができる。また、ロックナット（３７）で締着してあるので、調整位置が変動せず、常に所定の流量を維持することができ、使い易い。
【００１９】
上記実施例は、フィットネスクラブ等における酸素の補給装置について説明したが、本発明の接続継手は、空気、ガス等の気体、液体その他適宜の用途に使用することができる。
【図面の簡単な説明】
【００２０】
【図１】本発明の一実施例を示し、プラグとソケットを分離した状態の半断面図。
【図２】プラグとソケットを接続した状態の半断面図。
【図３】酸素補給装置の一実施例を示す説明図。
【符号の説明】
【００２１】
１    接続継手
２    流入口
３    ソケット
４    流出口
５    プラグ
１０    中間本体
１１    流入側本体
１６    着脱用ガイドリング
２３    スピンドル
３３    調整リング
３７    ロックナット
４０    内筒
４５    ボール
【図１】
2008157360.tif 000003
【図２】
2008157360.tif 000004
【図３】
2008157360.tif 000005